(57)【要約】      （修正有）【課題】まつ毛エクステンションを短時間で美しく仕上げることが可能なアイリストを短期間で効果的に養成するシステムを提供する。【解決手段】アイリスト養成システムとして、顔マネキンを使用してまつ毛エクステンションを習得する第１ステップと、モデルを使用してまつ毛エクステンションを習得する第２ステップと、検定シート１０を用いた検定ステップとを含み、まつ毛エクステンションに要する時間を計測するタイマーと、装着されたアイラッシュの本数を数えるカウンタとを備えて構成される。検定ステップでは、検定シート１０に基づき複数の評価項目欄１０１〜１１６の評価事項が検査され、次ステップへの移行可否を判断する。【選択図】図７
2020151381.tif 000002
【特許請求の範囲】
【請求項１】
顔マネキンを使用してまつ毛エクステンションを習得する第１ステップと、
モデルを使用してまつ毛エクステンションを習得する第２ステップと、
次ステップへの移行可否を判断する検定ステップとを含むアイリスト養成システムであって、
まつ毛エクステンションに要する時間を計測するタイマーと、装着されたアイラッシュの本数を数えるカウンタとを備え、
前記第１ステップおよび前記第２ステップでは、設定時間内に設定本数のアイラッシュを装着するトレーニングを前記タイマーおよび前記カウンタを用いて繰り返し行い、
前記検定ステップでは、前記タイマーおよび前記カウンタを用いて設定時間内に設定本数のアイラッシュが適正に装着されるか否かが判定されることを特徴とするアイリスト養成システム。
【請求項２】
請求項１に記載のアイリスト養成システムにおいて、
前記検定ステップでは、まつ毛エクステンションを評価する検定シートを用いて判定され、
前記検定シートは、
まつ毛エクステンションに関する評価事項の説明文を表示した複数の評価項目欄と、
前記評価項目欄の側方に配列された複数の点数記入部と、
前記点数記入部の側方または下方に配置された合計点数記入部とを備えることを特徴とするアイリスト養成システム。
【請求項３】
請求項１または２に記載のアイリスト養成システムにおいて、
前記第１ステップは、まつ毛エクステンションの異なる複数のスタイルを習得する複数の小ステップを含むことを特徴とするアイリスト養成システム。
【請求項４】
請求項１〜３のいずれか１つの請求項に記載のアイリスト養成システムにおいて、
前記第２ステップは、まつ毛エクステンションの異なる複数のスタイルを習得する複数の小ステップを含むことを特徴とするアイリスト養成システム。
【請求項５】
まつ毛エクステンションの検定シートであって、
まつ毛エクステンションに関する評価事項の説明文を表示した複数の評価項目欄と、
前記評価項目欄の側方に配列された複数の点数記入部と、
前記点数記入部の側方または下方に配置された合計点数記入部とを備え、
前記評価項目欄には、前記評価事項に係る評価基準および該評価基準に対応する点数が表示されていることを特徴とする検定シート。
【発明の詳細な説明】
【技術分野】
【０００１】
本発明は、アイリスト養成システム、およびそのアイリスト養成システムに用いられる検定シートに関する。
【背景技術】
【０００２】
まつ毛エクステンションは、まつ毛（自まつ毛）に、化学繊維などからなるアイラッシュまたはラッシュと呼ばれる人工のまつ毛を、専用の接着剤を用いて装着するものであり、まつ毛をより長く濃く見せる効果があることから広く好まれている。
【０００３】
この種のまつ毛エクステンションは、１本のまつ毛に１本のアイラッシュを装着して、まつ毛を延長することが基本とされている。これに対し、複数本のまつ毛に１本のアイラッシュを装着したり、１本のまつ毛に複数本のアイラッシュを装着したりすることは、まつ毛の成長を妨げ、装着後の不快感等を生じることから好ましくないとされている。また、１本のまつ毛に１本のアイラッシュを装着する方法がとられることから、まつ毛エクステンションの施術は専門のアイリストが行う極めて細かな作業であり、手間と時間とを要するものであって、美しく仕上げるには熟練を要するものであった。
【０００４】
例えば、特許文献１には、まつ毛エクステンション装着練習用の顔マネキンについて開示されている。この顔マネキンは、シリコーン樹脂等の人間の肌の感触に近い素材で形成されて、全体としては、人間の顔に近い構成配置や凹凸を有している。従来、このような顔マネキンを用いて、多数本のアイラッシュの装着練習を行うことが提案されている。
【先行技術文献】
【特許文献】
【０００５】
【特許文献１】特開２０１４−１３６０９１号公報
【発明の概要】
【発明が解決しようとする課題】
【０００６】
通常、まつ毛エクステンションには美的効果が求められることから、機械的に多数本のアイラッシュを装着すれば良いというものではなく、好みの美しいデザインの目元となるように個別に判断して施術し、しかも短時間に全ての作業を終えることが求められる。しかしながら、前記従来の装着練習のように、単にアイラッシュを装着するだけの練習では、多様なデザインのまつ毛エクステンションを美しく短時間で仕上げられるようになることは困難であり、一般的には半年から１年以上の長期の養成期間が必要とされていた。
【０００７】
本発明は、前記従来の問題点にかんがみてなされたものであり、その目的とするところは、まつ毛エクステンションを短時間で美しく仕上げることが可能なアイリストを短期間で効果的に養成するアイリスト養成システムを提供し、かつ、そのアイリスト養成システムに用いることが可能な検定シートを提供することにある。
【課題を解決するための手段】
【０００８】
前記の目的を達成するための本発明の解決手段は、顔マネキンを使用してまつ毛エクステンションを習得する第１ステップと、モデルを使用してまつ毛エクステンションを習得する第２ステップと、次ステップへの移行可否を判断する検定ステップとを含むアイリスト養成システムであって、まつ毛エクステンションに要する時間を計測するタイマーと、装着されたアイラッシュの本数を数えるカウンタとを備え、前記第１ステップおよび前記第２ステップでは、設定時間内に設定本数のアイラッシュを装着するトレーニングを前記タイマーおよび前記カウンタを用いて繰り返し行い、前記検定ステップでは、前記タイマーおよび前記カウンタを用いて設定時間内に設定本数のアイラッシュが適正に装着されるか否かが判定されることを特徴としている。
【０００９】
この特定事項により、装着したアイラッシュの本数を数えながら、まつ毛エクステンションに要する時間感覚を養うことができるとともに、まつ毛エクステンションの技術を段階的に身につけることが可能となる。また前記検定ステップにおいては、一定時間以内に１００本のアイラッシュを適正に装着することを判断でき、前記検定ステップを経ることで短期間での効果的なアイリスト養成が可能とされる。
【００１０】
また、前記の目的を達成するため、前記アイリスト養成システムに適用可能なまつ毛エクステンションの検定シートも本発明の技術的思想の範疇とされる。すなわち、本発明の他の解決手段は、まつ毛エクステンションの検定シートであって、まつ毛エクステンションに関する評価事項の説明文を表示した複数の評価項目欄と、前記評価項目欄の側方に配列された複数の点数記入部と、前記点数記入部の側方または下方に配置された合計点数記入部とを備え、前記評価項目欄には、前記評価事項に係る評価基準および該評価基準に対応する点数が表示されていることを特徴としている。
【００１１】
これにより、まつ毛エクステンションの仕上がりを複数の評価事項に基づいて客観的かつ容易に判断することができ、アイリストを短期間で効果的に養成することが可能となる。
【発明の効果】
【００１２】
本発明により、まつ毛エクステンションを短時間で美しく仕上げることが可能なアイリストを短期間で効果的に養成することが可能となる。
【図面の簡単な説明】
【００１３】
【図１】まつ毛エクステンションに用いられるアイラッシュについて示す説明図である。
【図２】前記アイラッシュの種類について示す説明図である。
【図３】まつ毛エクステンションのデザインシートの一例を示す説明図である。
【図４】本発明の実施形態に係るアイリスト養成システムの第１ステップについて示すフローチャートである。
【図５】本発明の実施形態に係るアイリスト養成システムの第２ステップについて示すフローチャートである。
【図６】前記アイリスト養成システムの第２ステップの様子を示す説明図である。
【図７】本発明の実施形態に係る検定シートを示す全体図である。
【図８】まつ毛エクステンションのアイラッシュとグルーを示す説明図である。
【図９】本発明の他の実施形態に係る検定シートを示す全体図である。
【発明を実施するための形態】
【００１４】
以下、本発明の実施形態に係るアイリスト養成システムおよび検定シート１０について、図面を参照しつつ説明する。
【００１５】
−まつ毛エクステンションの概要−
まつ毛エクステンションは、まつ毛エクステ、または、まつエク等とも略され、人工のまつ毛であるアイラッシュを、グルーと呼ばれる接着剤を用いてまつ毛に装着するものであり、まつ毛を長く濃く見せる美的効果が期待されている。以下の説明では、まつ毛にアイラッシュを装着すること、またはアイラッシュが装着されたまつ毛全体を指して「まつ毛エクステンション」といい、また、人の目のまつ毛（自まつ毛）を「まつ毛」、そのまつ毛に装着される人工のまつ毛を「アイラッシュ」と称して両者を区別することとする。
【００１６】
図１および図２は、まつ毛エクステンションに用いられるアイラッシュについて示す説明図である。
【００１７】
まつ毛エクステンションは、用いられるアイラッシュ２０によって、自然な雰囲気の仕上がりとなるデザインから華やかなデザインのものまで、多種多様なデザインで施術することが可能とされている。アイラッシュ２０は、単にラッシュとも略され、カール、太さ、長さ、および色等によって多種類の構成を有している。
【００１８】
例えば、図１に示すように、１本のアイラッシュ２０は、基部２１から先端部２２にかけて上方へ弓状に反った湾曲形状に形成されたカールを有している。また、アイラッシュ２０は、そのカールが緩やかなものから、大きくカールしたものまで多種類ある。
【００１９】
最も緩やかなカールを有するアイラッシュ２０は、図１に実線にて示されるＪカール２０１であり、Ｊ字状に湾曲した形状を表して、そのカールがＪカールと呼ばれている。同図に比較のために想像線にて示すように、アイラッシュ２０のカールには、そのほかに、Ｊカール２０１よりもカールの度合いが強いＢカール２０２、さらに強いＣカール２０３、および、カールの度合いが最も強いＤカール２０４などがある。
【００２０】
図２に示すように、Ｊカール２０１およびＢカール２０２のアイラッシュ２０は、比較的自然な仕上がりのまつ毛エクステンションとなることから、ナチュラルなアイラッシュとして分類される。また、Ｃカール２０３およびＤカール２０４のアイラッシュ２０は、しっかりとした大きなカールを有し、華やかな印象のまつ毛エクステンションとなることから、ゴージャスなアイラッシュとして分類される。
【００２１】
アイラッシュ２０には、このように複数種類のカールがあることに加えて、それぞれ複数種類の太さのものが用意されている。アイラッシュ２０は、基部２１から先端部２２に向かって徐々に細くなるように形成されており、その太さは、最も太い部分である基部２１の直径により規定されている。
【００２２】
例えば、図１に示すＪカール２０１のアイラッシュ２０で説明すると、基部２１は、０．１ｍｍの太さを有している。このほか、アイラッシュ２０の太さには、０．１２ｍｍ、０．１５ｍｍ、０．２ｍｍなど、複数種類の太さがある。
【００２３】
このように、多様なカールと太さを有する複数種類のアイラッシュ２０を用いることで、まつ毛エクステンションのデザインを多様に形成することができる。したがって、まつ毛エクステンションの施術では、被施術者のまつ毛の毛質、太さ、および長さなどの特徴を確認し、適合するアイラッシュ２０を用いることが好ましい。まつ毛と、まつ毛に装着するアイラッシュ２０とのカール形状に大きな差があると、まつ毛の根元から先端までのアイラッシュ２０との接着面が少なくなってしまう。そのため、まつ毛に係る前記特徴を見極め、適正なアイラッシュ２０を選択し、接着面が広くなるようにすることが望ましい。
【００２４】
多様に形成されるまつ毛エクステンションのデザインの例として、図３に示すまつ毛エクステンションのデザインシート３０には、６種類のまつ毛エクステンションのスタイル３１〜３６が一覧可能に配列されている。
【００２５】
例えば、「ナチュラルスタイル」３１は、普段、ナチュラルメイクである人に推奨される。また、「キュートスタイル」３２は、かわいらしい目元にしたい人に推奨され、「セクシースタイル」３３は大人っぽい仕上がりを好む人に推奨される。また、「ミックススタイル」３４や「グラマースタイル」３５は、目元にボリューム感を出したい人に推奨され、「グラマーセクシースタイル」３６は、人形のような印象を好む人に推奨される。
【００２６】
まつ毛エクステンションの前記スタイルは、カウンセリングに基づいて、目の形や、まつ毛の形状および状態に応じて、被施術者に似合うまつ毛エクステンションとなるように提案されることが好ましい。まつ毛に対して太すぎるアイラッシュ２０や長すぎるアイラッシュ２０は、まつ毛に負担をかけることとなるので、まつ毛の状態に応じたアイラッシュ２０を選択するとともに、スタイルを決定することが好ましい。
【００２７】
このように、まつ毛エクステンションの専門の施術者であるアイリストには、被施術者が望むようなデザインのまつ毛エクステンションを適正に施術するとともに、被施術者に負担なく、短時間で美しく仕上げられることが求められており、これによって満足度の高いまつ毛エクステンションの提供につなげることが可能となる。
【００２８】
そのようなアイリストを養成するべく、本発明の実施形態に係るアイリスト養成システムでは、顔マネキンを使用してまつ毛エクステンションを習得する第１ステップと、モデルを使用してまつ毛エクステンションを習得する第２ステップと、次ステップへの移行可否を判断する検定ステップとを含んで構成され、例えば１４日間の短期間で修了することが可能なアイリスト養成システムとされている。
【００２９】
−アイリスト養成システム−
図４は、実施形態に係るアイリスト養成システムの第１ステップについて示すフローチャートであり、図５は、実施形態に係るアイリスト養成システムの第２ステップについて示すフローチャートである。
【００３０】
（第１日目）
アイリスト養成システムにおける養成プログラム第１日目には、アイラッシュ２０、グルーと呼ばれる速乾性の接着剤、およびツイザーと呼ばれるピンセット等の必要な材料および道具の使い方や手順について教授される。このステップでは、例えばウィッグと呼ばれる人の顔を模した顔マネキンを用いて説明される。
【００３１】
（第２日目）
次に、Ｊカールのアイラッシュ２０を顔マネキンに装着するタイムトレーニングを行う。最初は、顔マネキンの額に貼着した「つけまつ毛」に、多数本のアイラッシュ２０を装着する練習を行う。その後、顔マネキンの両目に、つけまつ毛を貼着して多数本のアイラッシュ２０を装着する練習をする。６０分間で１００本のアイラッシュ２０を装着することを目標に、タイマーとカウンタとを用いて所要時間と装着本数とを計測しながら行う。これにより、第１ステップへの前段として、アイラッシュ２０やツイザー等の扱い方を習得することができる。
【００３２】
本アイリスト養成システムでのタイムトレーニングには、まつ毛エクステンションに要する時間を計測するタイマー６５と、装着したアイラッシュの本数を数えるカウンタ６４が用いられる（図６参照）。
【００３３】
（第３日目）：第１ステップ
次に、アイリスト養成システムの第１ステップとして、顔マネキンの両目に、つけまつ毛を貼着して、４０分間で１００本のＪカールのアイラッシュ２０を装着するタイムトレーニングを行う（Ｓ１）。
【００３４】
第１ステップには、顔マネキンを使用して行う、まつ毛エクステンションの異なる複数のスタイルを習得する複数の小ステップが含まれる。ここでは、例えば「ナチュラルスタイル」（第１スタイル）などの比較的シンプルなデザインのまつ毛エクステンションを形成する練習を行う。
【００３５】
タイムトレーニングを繰り返し行った後、４０分間で１００本のＪカールのアイラッシュ２０を適正に装着することができるか否かを検定により判定する（検定ステップ１：Ｓ２）。
【００３６】
検定ステップ１（Ｓ２）では、受講者が顔マネキンの両目にまつ毛エクステンションを施術し、検定員がその過程およびその仕上がりを検査する。このような検定ステップは、受講者の習得度に合わせて随時行われ、タイマー６５およびカウンタ６４（図６参照）を用いて判定するとともに、まつ毛エクステンションを評価する検定シート１０（図７参照）を用いて次ステップへの移行の可否を判定する。
【００３７】
後述する検定シート１０を用いた判定により「合格」と判断されると、次のステップ（Ｓ３）へ進むことができる。「不合格」と判断されると、再び、顔マネキンを用いて、４０分間で１００本のＪカールのアイラッシュ２０を装着するタイムトレーニングを行う（Ｓ１）。
【００３８】
（第４日目）：第１ステップ
次に、顔マネキンの両目に、つけまつ毛を貼着して、４０分間で１００本のＣカールのアイラッシュ２０を装着するタイムトレーニングを行う（Ｓ３）。
【００３９】
このステップ（Ｓ３）では、前ステップ（Ｓ１）と同様の「ナチュラルスタイル」（第１スタイル）のまつ毛エクステンションについて練習する。ただし、用いるアイラッシュ２０の種類は、前ステップ（Ｓ１）とは異なる。
【００４０】
タイムトレーニングの後、４０分間で１００本のＣカールのアイラッシュ２０が適正に装着されるか否かを判定する（検定ステップ２：Ｓ４）。検定シート１０により判定され、「合格」であれば次のステップ（Ｓ５）へ進むことができ、「不合格」であれば、再び、タイムトレーニングを行う（Ｓ３）。
【００４１】
（第５日目）：第１ステップ
次に、顔マネキンの両目に、つけまつ毛を貼着して、３０分間で１００本のＪカールのアイラッシュ２０を装着するタイムトレーニングを行う（Ｓ５）。
【００４２】
このステップでは、例えば「セクシースタイル」（第２スタイル）のまつ毛エクステンションについて練習する。セクシースタイルを構成するアイラッシュ２０はＪカールであり、１０ｍｍ〜１３ｍｍの複数の長さのものが含まれる。
【００４３】
タイムトレーニングの後、３０分間で１００本のＪカールのアイラッシュ２０が適正に装着されるか否かを判定する（検定ステップ３：Ｓ６）。検定シート１０により判定され、「合格」であれば次のステップ（Ｓ７）へ進むことができ、「不合格」であれば、再び、タイムトレーニングを行う（Ｓ５）。
【００４４】
（第６日目）：第１ステップ
次に、顔マネキンの両目に、つけまつ毛を貼着して、３０分間で１００本のＣカールのアイラッシュ２０を装着するタイムトレーニングを行う（Ｓ７）。
【００４５】
このステップでは、例えば「キュートスタイル」（第３スタイル）のまつ毛エクステンションについて練習する。キュートスタイルを構成するアイラッシュ２０はＣカールであり、１０ｍｍ〜１３ｍｍの複数の長さのものが含まれる。
【００４６】
タイムトレーニングの後、３０分間で１００本のＣカールのアイラッシュ２０が適正に装着されるか否かを判定する（検定ステップ４：Ｓ８）。検定シート１０により判定され、「合格」であれば次のステップ（第２ステップ：図５）へ進むことができ、「不合格」であれば、再び、タイムトレーニングを行う（Ｓ７）。
【００４７】
（第７〜８日目）：第２ステップ
アイリスト養成システムの第２ステップでは、顔マネキンにかわり、モデル（人の顔）に対してまつ毛エクステンションの装着練習を行う。例えば、図６に示すように、受講者６１はモデル６２の頭部に対峙して腰掛け、モデル６２の両目のまつ毛にアイラッシュ２０を装着していく。この第２ステップには、モデル６２に対してまつ毛エクステンションを施術して、異なる複数のスタイルを習得する複数の小ステップが含まれる。
【００４８】
ここでは、モデル６２に対して、３０分間で１００本のＪカールのアイラッシュ２０を装着するタイムトレーニングを行う（図５、Ｓ９）。まつ毛エクステンションのスタイルについては、例えば「キュートスタイル」（第３スタイル）の練習を行う。
【００４９】
図６に示すように、受講者６１は、両手にそれぞれツイザー６３を保持し、モデル６２のまつ毛にアイラッシュ２０を１本ずつ装着していく。その際、カウンタ６４を足踏み操作し、アイラッシュ２０の装着本数を数えながら行う。カウンタ６４には装着したアイラッシュ２０の本数が表示されている。また、タイマー６５を稼働させて、まつ毛エクステンションに要する時間（経過時間）を計測しながら行う。
【００５０】
タイムトレーニングの後、受講者６１は、１００本のＪカールのアイラッシュ２０を用いたキュートスタイルのまつ毛エクステンションを３０分間で施術し、適正であるか否かを検定により判定する（検定ステップ５：Ｓ１０）。３０分間で１００本のアイラッシュ２０が装着されたか否かは、カウンタ６４およびタイマー６５を用いて判定される。また、その他、まつ毛エクステンションの仕上がり等について検定シート１０により判定され、「合格」であれば次のステップ（Ｓ１１）に進むことができ、「不合格」であれば、再び、タイムトレーニングを行う（Ｓ９）。
【００５１】
（第９〜１０日目）：第２ステップ
次に、モデル６２を使用して、３０分で１００本のＣカールのアイラッシュ２０を装着して形成する「セクシースタイル」（第２スタイル）のまつ毛エクステンションのタイムトレーニングを行う（Ｓ１１）。
【００５２】
タイムトレーニングの後、３０分間で１００本のＣカールのアイラッシュ２０が適正に装着されるか否かを判定する（検定ステップ６：Ｓ１２）。検定シート１０により判定され、「合格」であれば次のステップ（Ｓ１３）へ進むことができ、「不合格」であれば、再び、タイムトレーニングを行う（Ｓ１１）。
【００５３】
（第１１〜１２日目）：第２ステップ
次に、モデル６２を使用して、３０分で１００本のＪカールのアイラッシュ２０を装着して形成する「セクシースタイル」（第２スタイル）のまつ毛エクステンションのタイムトレーニングを行う（Ｓ１３）。
【００５４】
タイムトレーニングの後、３０分間で１００本のＪカールのアイラッシュ２０が適正に装着されるか否かを判定する（検定ステップ７：Ｓ１４）。検定シート１０により判定され、「合格」であれば次のステップ（Ｓ１５）へ進むことができ、「不合格」であれば、再び、タイムトレーニングを行う（Ｓ１３）。
【００５５】
（第１３日目）：第２ステップ
次に、モデル６２を使用し、３０分で１００本のＣカールのアイラッシュ２０を装着して形成する「キュートスタイル」（第３スタイル）のまつ毛エクステンションのタイムトレーニングを行う（Ｓ１５）。
【００５６】
タイムトレーニングの後、３０分間で１００本のＪカールのアイラッシュ２０が適正に装着されるか否かを判定する（検定ステップ８：Ｓ１６）。検定シート１０により判定され、「合格」であれば第２ステップが修了し、アイリスト検定を受検することが可能となる。「不合格」であれば、再び、タイムトレーニングを行う（Ｓ１５）。
【００５７】
前記第１ステップおよび前記第２ステップでは、まつ毛エクステンションのタイムトレーニングのほか、装着されたアイラッシュ２０の除去、カウンセリング、アフターカウンセリング等のアイリストに求められる事項の教授も行う。また、前記第２ステップの修了後に、下まつ毛へのまつ毛エクステンションや他のカールのアイラッシュ２０の装着についても習得することができる。
【００５８】
このようなアイリスト養成システムにより、受講者６１は常にまつ毛エクステンションに要する時間を意識することができ、その時間感覚を養うことができ、また、検定される複数の評価事項を考慮しつつ、まつ毛エクステンションを習得することができる。タイムトレーニングでは、タイマー６５とカウンタ６４とを用いて、設定された時間内に設定本数のアイラッシュ２０を装着するので、短時間で施術することができるようになる。
【００５９】
各ステップの後には、タイマー６５およびカウンタ６４を用いた検定ステップが設けられているので、確実にかつ段階的にまつ毛エクステンションを習得していくことができるとともに、受講者６１同士の意識も高めることができる。その結果、短時間で多様なまつ毛エクステンションを施術可能なアイリストを、例えば１４日間といった短期間で養成することが可能となる。なお、各ステップにおいて実施するまつ毛エクステンションのスタイル、用いるアイラッシュの種類および本数、まつ毛エクステンションの設定時間は、前記実施形態に示す構成であるに限られず、要望や目的等に応じてどのように構成されてもよい。
【００６０】
−検定シート−
次に、前記構成のアイリスト養成システムにて用いられる検定シート１０について説明する。図７は、本発明の実施形態に係る検定シート１０を示す全体図である。
【００６１】
検定シート１０は、まつ毛エクステンションに関する評価事項の説明文を表示した複数の評価項目欄１０１〜１１６と、これらの側方に配列された複数の点数記入部１１と、点数記入部１１の側方または下方に配置された合計点数記入部１２とを備えている。この検定シート１０は、アイリスト養成システムにおける検定ステップ１〜８での合否判定に用いられる。
【００６２】
例示の形態に係る検定シート１０は、１６の評価項目欄１０１〜１１６を有しており、評価項目欄１０１〜１１６の右側に、その評価項目欄１０１〜１１６に対応する空欄の点数記入部１１がそれぞれ設けられている。評価項目欄１０１〜１１６には、まつ毛エクステンションに関する評価事項の評価基準、および該評価基準に対応する点数が表示されている。
【００６３】
例えば、１番目の評価項目欄１０１には、「根元の整列性は均一かどうか」という評価事項について、「均一、ほぼ均一、少しばらつき有り、ばらつき有り、均一性無し」の５段階の評価基準が示され、それぞれ５点〜１点での対応する点数が表示されている。まつ毛エクステンションで装着されたアイラッシュ２０は、まつ毛の根元から一定の距離の位置に装着されることが好ましく、美しい仕上がりとすることができる。
【００６４】
評価事項については、ツイザーを用いてまつ毛およびアイラッシュを１本ずつ個別に目視し、装着された両目１００本（片目５０本ずつ）のアイラッシュ２０を全て検査することにより判断され、その評価基準に対応する点数が点数記入部１１に記入される。
【００６５】
２番目の評価項目欄１０２には、「根元からの距離が根元から１ｍｍ以下のラッシュがあるかどうか」という評価事項が表示されている。また、当該評価事項について「無し、３本以下、６本以下、９本以下、１０本以上」の５段階の評価基準が示され、各評価基準に対応する５点〜１点の点数が表示されている。この評価項目欄１０２では、アイラッシュ２０の基部２１が、まつ毛の根元に対して１ｍｍ以下の位置に接着されて、まつ毛の根元の近くに装着されていないかどうかが判断される。
【００６６】
３番目の評価項目欄１０３には、「目元からの距離が根元から離れすぎているラッシュがあるかどうか」という評価事項が表示されている。また、当該評価事項について、「無し、３本以下、６本以下、９本以下、１０本以上」の５段階の評価基準が示され、それぞれ５点〜１点での対応する点数が表示されている。アイラッシュ２０の基部２１が、まつ毛の根元から遠くに接着されて、まつ毛の根元から離れていると、接着面積が少なくなり、アイラッシュ２０が位置ずれしたり取れやすくなったりするという問題点がある。
【００６７】
４番目の評価項目欄１０４には、「ラッシュの左右の方向性の乱れはないか」という評価事項が表示されている。また、当該評価事項について、「無し、３本以下、６本以下、９本以下、１０本以上」の５段階の評価基準が示され、それぞれ５点〜１点での対応する点数が表示されている。１００本のアイラッシュ２０は、左右方向の等しい方向に向くように装着されていることが好ましく、異なる方向を向いたアイラッシュ２０は隣接する他のアイラッシュ２０に交差したり干渉したりして、取れやすくなるという問題点がある。
【００６８】
５番目の評価項目欄１０５には、「ラッシュの上下の乱れはないか」という評価事項が表示されている。また、当該評価事項について、「無し、３本以下、６本以下、９本以下、１０本以上」の５段階の評価基準が示され、それぞれ５点〜１点での対応する点数が表示されている。１本のアイラッシュ２０が１本のまつ毛に沿って、上下方向に等しい方向に向くように装着されていることが好ましく、異なる方向であるとアイラッシュ２０が他のアイラッシュ２０、まつ毛、または目に干渉する問題点がある。
【００６９】
６番目の評価項目欄１０６には、「グルーが多いラッシュはないか」という評価事項が表示されている。また、当該評価事項について、「無し、３本以下、６本以下、９本以下、１０本以上」の５段階の評価基準が示され、それぞれ５点〜１点での対応する点数が表示されている。
【００７０】
７番目の評価項目欄１０７には、「グルーが少ないラッシュはないか」という評価事項が表示されている。また、当該評価事項について、「無し、３本以下、６本以下、９本以下、１０本以上」の５段階の評価基準が示され、それぞれ５点〜１点での対応する点数が表示されている。
【００７１】
６番目および７番目の評価項目欄１０６、１０７は、アイラッシュ２０をまつ毛に接着するグルーの量について評価する欄である。グルーと呼ばれる速乾性の接着剤は、通常、黒色であるものが多く、その量が多いとグルーがダマになって目立ち、美しく仕上がらず、少ないとアイラッシュ２０がまつ毛から浮いたり取れやすくなったりする問題点がある。
【００７２】
例えば、図８に示すように、グルー８１は、アイラッシュ２０の根元側の１／３の範囲の表面に、均一に薄く塗布されることが好ましい。そのため、グルー８１は、プレート８２上にドーム型に取り出して用意し、ツイザー６３で保持したアイラッシュ２０の基部２１側をプレート８２のグルー８１に没入させ、グルー８１を付着させる。アイラッシュ２０の基部２１をグルー８１から引き上げるときには、アイラッシュ２０のカーブに沿って斜め上方に引き出すようにする。これによって、適量のグルー８１をアイラッシュ２０に均一に塗布することができ、適正な量でダマになることなく、アイラッシュ２０をまつ毛に接着することが可能となる。
【００７３】
８番目の評価項目欄１０８には、「根元が離れているラッシュはないか」という評価事項が表示されている。また、当該評価事項について、「無し、３本以下、６本以下、９本以下、１０本以上」の５段階の評価基準が示され、それぞれ５点〜１点での対応する点数が表示されている。アイラッシュ２０の根元が、まつ毛の表面から浮き上がって離れていると、位置ずれしたり取れやすくなったりする問題点がある。
【００７４】
９番目の評価項目欄１０９には、「装着が甘いラッシュはないか」という評価事項が表示されている。また、当該評価事項について、「無し、３本以下、６本以下、９本以下、１０本以上」の５段階の評価基準が示され、それぞれ５点〜１点での対応する点数が表示されている。装着したアイラッシュ２０がまつ毛から外れやすくなっていないかどうかを評価する項目であり、アイラッシュ２０を１本ずつツイザーで引っ張ってみることにより、ずれたり外れたりしないかどうかを検査する。
【００７５】
１０番目の評価項目欄１１０には、「自まつげを巻き込んでるラッシュはないか」という評価事項が表示されている。また、当該評価事項について、「無し、３本以下、６本以下、９本以下、１０本以上」の５段階の評価基準が示され、それぞれ５点〜１点での対応する点数が表示されている。まつ毛エクステンションは、１本のまつ毛に１本のアイラッシュ２０を装着することが好ましい。そのため、２本または３本のまつ毛に対して（他のまつ毛を巻き込んだ状態で）、１本のアイラッシュ２０が装着されていないかどうかを検査する。
【００７６】
１１番目の評価項目欄１１１には、「ラッシュの配分がバランス良くできているか」という評価事項が表示されている。また、当該評価事項について、「無し、３本以下、６本以下、９本以下、１０本以上」の５段階の評価基準が示され、それぞれ５点〜１点での対応する点数が表示されている。アイラッシュ２０が全体にバランス良く配置されて偏りが無ければ「無し」であり、バランスの悪いアイラッシュ２０の本数により評価される。
【００７７】
１２番目の評価項目欄１１２には、「施術中にツイザーがまぶたにあたっていないか」という評価事項が表示されている。また、当該評価事項について、「できている、ほぼできている、できていない」の評価基準が示され、それぞれに５点、４点、１点での対応する点数が表示されている。
【００７８】
１３番目の評価項目欄１１３には、「テープワークは正確にできているか」という評価事項が表示されている。また、当該評価事項について、「できている、ほぼできている、できていない」の評価基準が示され、それぞれに５点、４点、１点での対応する点数が表示されている。まつ毛エクステンションの施術対象ではない下まつ毛（または上まつ毛）には、施術の開始前にテープワークを施す。必要に応じて、眉毛にもテープワークを施す。このテープワークは、医療用テープ等を貼着して、施術中の目を保護するとともに作業性を高めるものである。
【００７９】
１４番目の評価項目欄１１４には、「ラッシュを顔に落としたりせず、キレイな仕事を心がけているか」という評価事項が表示されている。また、当該評価事項について、「できている、ほぼできている、できていない」の評価基準が示され、それぞれに５点、４点、１点での対応する点数が表示されている。アイラッシュ２０が顔に１本も落ちていなければ「できている」と判断され、５本以上落ちていると「できていない」と判断される。
【００８０】
１５番目の評価項目欄１１５には、「自まつげを引っ張ったり、無理にセパレートしていないか」という評価事項が表示されている。また、当該評価事項について、「できている、ほぼできている、できていない」の評価基準が示され、それぞれに５点、４点、１点での対応する点数が表示されている。モデル６２を用いて行うまつ毛エクステンションの場合には、モデル６２に施術中に痛みがなかったか、チクチクしなかったか等の不快感の有無をヒヤリングして判断する。
【００８１】
１６番目の評価項目欄１１６には、「タイム内にできているか」という評価事項が表示されている。また、当該評価事項について、「タイム内、タイム外」の評価基準が示され、５点、または１点での対応する点数が表示されている。検定ステップ１（Ｓ２）および検定ステップ２（Ｓ４）では、４０分以内に１００本の装着が完了していることが求められ、アイラッシュ２０の本数をカウンタ６４により数え、１００本に満たない場合には「タイム外」と判断される。同様に、検定ステップ３（Ｓ６）以降では、３０分以内に１００本の装着の完了が求められる。
【００８２】
検定シート１０の右下部には空欄の合計点数記入部１２が設けられている。前記１６項目の評価事項について点数記入部１１に記入された点数が合計され、合計点数記入部１２に記入される。この場合、合計点数は８０点満点であり、合計点数記入部１２の点数が７０点以上であれば「合格」と判断され、次ステップへ進むことができる。７０点未満であると「不合格」と判断され、次ステップへ進むことはできず、再び前ステップでのタイムトレーニングが必要となる。
【００８３】
検定シート１０の最下段には、コメント欄１３が設けられている。コメント欄１３には、検定結果に基づいて「注意点」としてコメントが記入される。
【００８４】
このような検定シート１０を用いることで、各検定ステップでは、まつ毛エクステンションの仕上がりを複数の評価事項に基づいて客観的かつ容易に判断することが可能となる。また、まつ毛エクステンションについての評価を明確な点数で示すことができるので、習得度合いを共有することができ、効果的にまつ毛エクステンションを習得していくことが可能となる。その結果、アイリストの短期間での養成に役立てることができる。
【００８５】
以上、説明したように、本発明に係るアイリスト養成システムおよび検定シート１０によれば、美しく仕上げるために試行錯誤したり検討したりする時間や手間を要することなく、短時間で効率よく所望のまつ毛エクステンションを提供し得るアイリストを養成することが可能となる。しかも、アイリスト養成システムの全ステップを最長でも１４日間で完了することができるので、短期間でのアイリストの養成が可能となる。検定シート１０を用いた本アイリスト養成システムにより、より満足度の高いまつ毛エクステンションの提供に寄与することができる。
【００８６】
なお、本発明に係るまつ毛エクステンションの検定シート１０は、まつ毛エクステンションに関する評価事項の説明文を表示した複数の評価項目欄（１０１〜１１６等）と、複数の点数記入部１１と、合計点数記入部１２とを備えるものであれば、紙面などのシート上に表示されたものであるに限られず、例えば図９に示すように携帯端末９０やパーソナルコンピュータ等の表示部９１に検定シート１０が表示されて、表示部９１をタッチする等により点数やコメントを入力できるように構成されてもよい。また、その評価事項や点数等についても前記実施形態に示す構成に限られず、どのように構成されてもよい。
【００８７】
前記の実施形態に示す構成は本発明の例示であるに過ぎず、本発明は他の様々な形態により実施することができる。本発明は、請求項に示される範囲で種々の変更が可能であり、異なる実施形態に開示された技術的手段を適宜組み合わせて得られる実施形態についても本発明の技術的範囲に含まれる。
【産業上の利用可能性】
【００８８】
本発明は、アイラッシュを用いたまつ毛エクステンションに好適に利用可能である。
【符号の説明】
【００８９】
１０  検定シート
１０１〜１１６  評価項目欄
１１  点数記入部
１２  合計点数記入部
１３  コメント欄
２０  アイラッシュ
６４  カウンタ
６５  タイマー
【図１】
2020151381.tif 000003
【図２】
2020151381.tif 000004
【図３】
2020151381.tif 000005
【図４】
2020151381.tif 000006
【図５】
2020151381.tif 000007
【図６】
2020151381.tif 000008
【図７】
2020151381.tif 000009
【図８】
2020151381.tif 000010
【図９】
2020151381.tif 000011